(57)【要約】  本発明は強制通風構造を有する履物に関し、さらに詳しくは、着用者の足のアーチが位置される底側の内側一地点に足のアーチを弾力的に支持及び加圧する機能と、加圧によって外部空気を履物の内部に強制的に流入させて、強制通風機能を図るポンピング部材を配設して、快適な足の衛生状態を確保がすることができ、またアーチを繰り返して加圧することによって足の疲労感を抑止し、及びアーチの形状を校正するように構成され、アーチと接する伸縮カバーの高さを容易に調節することができるように構成された強制通風構造を有する履物に関する。【選択図】図６
2012526603.tif 000002
【特許請求の範囲】
【請求項１】
底板（１０）の上部に入口（２１）が設けられた外皮（２０）が形成されて底板（１０）と外皮（２０）との間に収容空間が形成された構造で、前記底板（１０）には外部空気を吸気してこの吸気された外部空気を収容空間に吐出するポンピング部材（３０）が配設された形態の強制通風構造が設けられた履物において、
前記ポンピング部材（３０）は、底板（１０）に固定して設置され、外部空気を吸入または排気する上部開放型の本体（３１）と；前記上部開放型の本体（３１）の上部を閉鎖する伸縮カバー（３２）と；を含み、
前記底板（１０）に上向きに突出されたポンピング部材（３０）の伸縮カバー（３２）を繰り返して加圧または弛緩することによって、空気の吸入または排気が行われ、前記ポンピング部材（３０）を構成する本体（３１）の内部には支持体（３３）が形成され、前記支持体（３３）と前記伸縮カバー（３２）の底面との間にはスプリング（３４）が設置されて、前記伸縮カバー（３２）はスプリング（３４）の復元力によって向上された伸縮性を有するように構成され、前記支持体（３３）は外面に所定高さまで円形のねじ山が形成され、前記支持体（３３）のねじ山に噛み合う締結ねじ部（３９）が形成され、前記ポンピング部材（３０）の上部には高さ調節具（３５）が形成されて、前記高さ調節具（３５）の回転によって前記支持体（３３）が締結ねじ部（３９）に沿って回転することによって上下に移動し、
前記支持体の外面下部または前記締結ねじ部の上部には係止突起またはストッパが形成され、前記支持体は前記締結ねじ部を離脱しないことを特徴とする強制通風構造を有する履物。
【請求項２】
前記支持体の下部に形成されて、外面に垂直方向のねじ山が形成されたウォームホイール（３７）と、前記本体の外部で回転させることができるように設置されて前記ウォームホイールと噛み合うように結合されるウォーム（３８）とをさらに含み、
前記ウォームホイール（３７）の内部には前記支持体と噛み合う締結ねじ部（３９）が形成され、前記締結ねじ部（３９）の上部には支持体（３３）がウォームホイール（３７）の上部側へ離脱しないように係止突起、ストッパまたはヤマストッパ（４２）が形成されて、前記ウォーム（３８）を回転させることによって前記ウォームホイール（３７）が回転され、これによって支持体（３３）が上下に移動されることを特徴とする請求項１に記載の強制通風構造を有する履物。
【請求項３】
前記高さ調節具（３５）の内部に挿入結合されるスプリング調節ボルト（４４）は下部の締結具（４５）の内部ねじ山（４５ａ）とねじ結合によって結合され、前記支持体の上部面には前記締結具（４５）が支持体（３３）の内部に挿入されて上部に離脱されないように締結具係止突起が形成され、
前記高さ調節具（３５）は前記締結具（４５）の外面に突出された突起（４５ｂ）に嵌合されて、前記高さ調節具（３５）の回転によって前記支持体（３３）を回転させて支持体（３３）の高さを調節し、前記スプリング調節ボルト（３５ｂ）の回転によって伸縮カバーを加圧させて、スプリングの強度が調節されることを特徴とする請求項２に記載の強制通風構造を有する履物。
【請求項４】
前記ねじ締結部（３９）は本体の下部内に形成され、支持体（３３）のねじ山（３３ｃ）は前記ねじ締結部（３９）に沿って回転し、前記支持体（３３）が前記締結ねじ部（３９）を離脱しないように、支持体（３３）の外面下部に係止突起、ストッパまたはヤマストッパ（４２）が形成され、
前記高さ調節具（３５）の内部に挿入結合されるスプリング調節ボルト（４４）は下部の締結具（４５）の内部ねじ山（４５ａ）とねじ結合によって結合され、前記支持体の上部面には前記締結具（４５）が支持体（３３）の内部に挿入されて上部に離脱されないように締結具係止突起が形成され、前記高さ調節具（３５）は前記締結具（４５）の外面に突出された突起（４５ｂ）に嵌合されて、前記高さ調節具（３５）の回転によって前記支持体（３３）を回転させて支持体（３３）の高さを調節し、前記スプリング調節ボルト（３５ｂ）の回転によって伸縮カバーを加圧させてスプリングの強度が調節されることを特徴とする請求項１に記載の強制通風構造を有する履物。
【請求項５】
前記ねじ締結部（３９）は本体の下部内に形成され、支持体（３３）のねじ山（３３ｃ）は前記ねじ締結部（３９）に沿って回転し、前記締結ねじ部（３９）の上部には支持体（３３）が締結ねじ部（３９）の上部側に離脱しないように係止突起、ストッパまたはヤマストッパ（４２）が形成され、
高さ調節具（３５）が挿入されて係止されるように中央に係止溝（３６ａ）が形成されたワッシャー（３６）が前記スプリング（３４）上に形成され、前記スプリング（３４）には上下の端部が内側に曲がった折曲部（３４ａ）が形成され、上部の折曲部は前記ワッシャー（３６）の下端に締結されて固定され、下部の折曲部は支持体（３３）上のスプリング係止溝（３３ｅ）に締結固定され、
前記高さ調節具（３３）の下部にはナット状の締結具（３５）が締結され、
前記高さ調節具（３５）の回転によって、ワッシャー、スプリング、ボルト、及び支持体がともに回転することによって支持体の高さが調節されることを特徴とする請求項１に記載の強制通風構造を有する履物。
【請求項６】
前記ねじ締結部（３９）は本体内の下部に形成され、前記高さ調節具（３５）は内部にねじ山が形成され、外面に係止面（３５ｂ）が形成されて、前記高さ調節具（３５）の内部のねじ山とボルト状の締結具（４５）がねじ結合され、前記高さ調節具（３５）の外面の係止面（３５ｂ）が前記支持体（３３）の内部の係止突起（３３ｄ）に係止されるように構成され、前記支持体の上部面には前記締結具（４５）が支持体（３３）の内部に挿入されて上部に離脱されないように締結具係止突起が形成されて、前記高さ調節具の回転によって前記支持体を回転させて支持体の高さを調節することを特徴とする請求項１に記載の強制通風構造を有する履物。
【請求項７】
前記本体内のポンピング部材で外部空気を吸入する吸入管、及び前記ポンピング部材で履物の内部方へ排気、履物内への循環、履物の外部に排出させる排気管は半月状の管体で、空気の流れ方向によって開放または閉鎖する半月状の弁膜からなる一方向チェックバルブ（ＣＶ）が設置されることを特徴とする請求項１に記載の強制通風構造を有する履物。
【請求項８】
空気を履物の外部に排出させる排気管は前記吸入管と連通されて、前記吸入管によって外部空気の吸入及び排出が行われることを特徴にする請求項１に記載の強制通風構造を有する履物。
【発明の詳細な説明】
【技術分野】
【０００１】
本発明は強制通風構造を有する履物に関し、さらに詳しくは、着用者の足のアーチが位置される底側の内側一地点に足のアーチを弾力的に支持及び加圧する機能と、加圧によって外部空気を履物の内部に強制的に流入させて強制通風機能を図るポンピング部材を配設して、快適な足の衛生状態を確保することができ、またアーチを繰り返して加圧することによって足の疲労感を抑止し、及びアーチの形状を校正するように構成された強制通風構造を有する履物に関する。
【背景技術】
【０００２】
周知のように、足は、人の体の中で酷使が最も多い部位で、歩行、駆け足の時、外部の異物に対して保護するために靴、運動靴などの履物を着用する。
【０００３】
前記履物は主に天然または人工皮革の材質で形成されて足の外部を包むように形成され、地面と接触される下側に歩行の時の安全性及び歩行の時の快適などを考慮して、厚い底が具備される。
【０００４】
また、履物は冬季などのように外部の気温が低い環境で足の保温を保持する機能を有し、これによって履物の内部は自然に保温されて、足は相当量の汗を排出する。
【０００５】
特に、前記履物は外部の異物及び雨天の時、雨に足が濡れないようにするために防水機能を有する。このような防水機能は水分が履物によって内部に吸収されないようにする一方、履物の内部空気が外部に流出されないようにするため通気性が低下される要因になる。
【０００６】
結局、足で排出された汗は履物の内部を汚染させて、足の臭いを誘発させ、通気性の低い履物の内部で常に水分が発生された状態が保持されて、足の健康に悪影響を与え、且つ非常に不快な着用感が発生されることは周知である。
【０００７】
一方、従来の履物の場合には、工場で履物が発売される当時に足のサイズによって特定の形状に決まっていて、着用感が低下される問題点があり、特に人ごとに足のアーチの形態が相異しているが、市販されている履物は同じ形態のアーチ支持部を形成しているため、需要者の欲求を満足できないという短所がある。
【発明の概要】
【発明が解決しようとする課題】
【０００８】
前記問題点を解消するために案出された本発明は、着用者の足のアーチが位置される底側の内側一地点に足のアーチを弾力的に支持及び加圧する機能と、加圧によって外部空気を履物の内部に強制的に流入させて強制通風機能を図るポンピング部材を配置して、快適な足の衛生状態を確保することができ、またアーチを繰り返して加圧することによって足の疲労感を抑止、及びアーチの形状を校正するように構成された強制通風構造を有する履物を提供することを目的とする。
【課題を解決するための手段】
【０００９】
本発明は前記の問題点を解決するために創出されたもので、本発明は底板１０の上部に入口２１が設けられた外皮２０が形成されて、底板１０と外皮２０との間に収容空間が形成された構造で、前記底板１０には外部空気を吸気して、この吸気された外部空気を収容空間に吐出するポンピング部材３０が配置された形態の強制通風構造が設けられた履物において、前記ポンピング部材３０は、底板１０に固設され、外部空気を吸入または排気する上部開放型の本体３１と；前記上部開放型の本体３１の上部を閉鎖する伸縮カバー３２と；を含み、
前記底板１０に上向き突出されたポンピング部材３０の伸縮カバー３２を繰り返し加圧または弛緩することによって、空気の吸入または排気が行われ、前記ポンピング部材３０を構成する本体３１の内部には支持体３３が形成され、前記支持体３３と前記伸縮カバー３２の底面との間にはスプリング３４が設置され、前記伸縮カバー３２はスプリング３４の復元力によって向上された伸縮性を有するように構成され、前記支持体３３は外面に所定高さまで円形のねじ山が形成され、前記支持体３３のねじ山に噛み合う締結ねじ部３９が形成され、前記ポンピング部材３０の上部には高さ調節具３５が形成されて、前記高さ調節具３５の回転によって前記支持体３３が締結ねじ部３９に従って回転することによって上下移動し、前記支持体の外面下部または前記締結ねじ部の上部には係止突起、ストッパまたはヤマストッパが形成され、前記支持体は前記締結ねじ部を離脱しないことを特徴とする。
【００１０】
好ましい実施形態によれば、前記支持体の下部に形成されて外面に垂直方向のねじ山が形成されたウォームホイール３７と、前記本体の外部で回転させることができるように設置されて、前記ウォームホイールと噛み合うように結合されるウォーム３８とをさらに含み、前記ウォームホイール３７の内部には前記支持体と噛み合う締結ねじ部３９が形成されて、前記ウォーム３８を回転させることによって前記ウォームホイール３７が回転され、これによって支持体３３が上下移動される。
【００１１】
好ましい実施形態によれば、前記高さ調節具３５の内部に挿入されるスプリング調節ボルト４４は下部の締結具４５の内部ねじ山４５ａとねじ結合によって結合され、前記支持体の上部面には前記締結具４５が支持体３３の内部に挿入されて上部に離脱されないように締結具係止突起が形成され、前記高さ調節具３５は前記締結具４５の外面に突出された突起４５ｂに嵌合され、前記高さ調節具３５の回転によって前記支持体３３を回転させて支持体３３の高さを調節し、前記スプリング調節ボルト３５ｂの回転によって伸縮カバーを加圧させてスプリングの強度が調節される。
【００１２】
好ましい他の実施形態によれば、前記ねじ締結部３９は本体の下部内に形成され、支持体３３のねじ山３３ｃは前記ねじ締結部３９に沿って回転し、前記高さ調節具３５の内部に挿入されるスプリング調節ボルト４４は下部の締結具４５の内部ねじ山４５ａとねじ結合によって結合され、前記支持体の上部面には前記締結具４５が支持体３３の内部に挿入されて上部に離脱されないように締結具係止突起が形成され、前記高さ調節具３５は前記締結具４５の外面に突出された突起４５ｂに嵌合されて、前記高さ調節具３５の回転によって前記支持体３３を回転させて、支持体３３の高さを調節し、前記スプリング調節ボルト３５ｂの回転によって伸縮カバーを加圧させて、スプリングの強度が調節される。
【００１３】
本発明の好ましい他の実施形態によれば、前記ねじ締結部３９は本体の下部内に形成され、支持体３３のねじ山３３ｃは前記ねじ締結部３９に沿って回転し、高さ調節具３５が挿入されて係止されるように中央係止溝３６ａが形成されたワッシャー３６が前記スプリング３４上に形成され、前記スプリング３４には上下の端部が内側に曲げられた折曲部３４ａが形成される。上部の折曲部は前記ワッシャー３６の下端に締結されて固定され、下部の折曲部は支持体３３上のスプリング係止溝３３ｅに締結固定され、前記高さ調節具３３の下部にはナット状の締結具３５が締結されて、前記高さ調節具３５の回転によって、ワッシャー、スプリング、ボルト、及び支持体が一緒に回転することによって支持体の高さが調節される。
【００１４】
好ましい他の実施形態によれば、前記ねじ締結部３９は本体内の下部に形成され、前記高さ調節具３５は内部にねじ山が形成され、外面係止面に３５ｂが形成されて、前記高さ調節具３５の内部のねじ山とボルト状の締結具４５がねじ結合され、前記高さ調節具３５の外面の係止面３５ｂが前記支持体３３の内部の係止突起３３ｄに係止されるように構成され、前記支持体の上部面には前記締結具４５が支持体３３の内部に挿入されて、上部に離脱されないように締結具係止突起が形成されて、前記高さ調節具の回転によって前記支持体を回転させて支持体の高さを調節する。
【００１５】
好ましい実施形態によれば、前記本体内のポンピング部材で外部空気を吸入する吸入管、及び前記ポンピング部材で履物の内部方へ排気、履物内への循環、履物外部に排出させる排気管は半月状の管体で、空気の流れ方向によって開放または閉鎖する半月状の弁膜で形成された一方向チェックバルブ（ＣＶ）が設置される。より好ましい実施形態によれば、空気を履物の外部に排出させる排気管は前記吸入管と連通されて、前記吸入管によって外部空気の吸入及び排出が行われる。
【発明の効果】
【００１６】
前述したように、本発明ではポンピング作用によって外部の新鮮な空気を収容空間の内部に送風するポンピング部材を設けて、履物の着用過程で発生される汗と臭いなどが送風によって除去されるように構成した履物を提案している。
【００１７】
また、本発明では前記ポンピング部材を足裏のアーチが位置される地点に配置することによって、ポンピング部材による強制通気作用とポンピング部材によるアーチの支持及び加圧作用を同時に図ることができ、このように、履物にポンピング部材による強制通風作用とアーチの支持及び加圧作用を同時に図ることにより、構造が簡素化されて、製作による費用が大幅に節減され、且つ製品の軽量化を図ることができる。
【００１８】
特に、本発明では前記ポンピング部材の高さを調節可能に構成して、着用者は自分の体形に適する高さにポンピング部材の高さを調節して、アーチの支持及び加圧を図ることができて、向上された着用性と機能性が発揮されることができる。
【図面の簡単な説明】
【００１９】
【図１】図１は本発明の好ましい実施形態における強制通風構造を有する履物の見掛け構成を示す。
【図２】図２は本発明の好ましい実施形態における強制通風構造を有する履物の内部構成を示す部分切開状態図である。
【図３】図３は本発明で好ましい実施形態における強制通風構造を有する履物において、第１ポンピング部材の全体構成を示す詳細図である。
【図４】図４は前記図３に示された第１ポンピング部材において伸縮カバーの高さ調節状態を示す。
【図５】図５は本発明の好ましい実施形態における強制通風構造を有する履物による第一ポンピング部材の強制通気作用とアーチの支持及び加圧状態を示す作用状態図である。
【図６】図６は本発明の好ましい他の実施形態における強制通風構造を有する履物において、第２ポンピング部材の構成を示す分離斜視図である。
【図７】図７は本発明の好ましい他の実施形態における強制通風構造を有する履物において、第３ポンピング部材の構成を示す分離斜視図である。
【図８】図８は本発明の好ましい他の実施形態における強制通風構造を有する履物において、第４ポンピング部材の構成を示す分離斜視図である。
【図９】図９は本発明の好ましい他の実施形態における強制通風構造を有する履物において、第５ポンピング部材の構成を示す分離斜視図で、履物の踵に設置される状態を示す。
【図１０】図１０は本発明の好ましい他の実施形態における強制通風構造を有する履物において、履物のアーチ部と踵に同時に二つのポンピング部材が設置された状態を示す分離斜視図である。
【符号の説明】
【００２０】
１：履物
１０：底板
１１：循環溝
１２：排気管
２０：外皮
２１：入口
３０：ポンピング部材
３１：本体
３１ａ：環状溝
３１ｂ：吸気管
３１ｃ：排気管
３２：伸縮カバー
３２ａ：環状突起
３２ｂ：折り皺
３２ｃ：ブラケット
３３：支持体
３３ａ：角溝
３３ｂ：スプリング溝
３３ｃ：ねじ山
３３ｄ：係止面
３３ｅ：スプリング係止溝
３４：スプリング
３４ａ：スプリング折曲部
３５：高さ調節具
３５ａ：凹溝
３５ｂ：係止面
３６：ワッシャー
３６ａ：係止溝
３７：ウォームホイール
３８：ウォーム
３９：ねじ締結部
４０：締結管
４２：係止突起、ストッパまたはヤマストッパ
４４：スプリング調節ボルト
４５：締結具
４５ａ：内部ねじ山
４５ｂ：突起
４６：ストッパ
Ｆ：足
Ａ：アーチ
ＣＶ：一方向チェックバルブ（弁膜）
【発明を実施するための形態】
【００２１】
以下、添付図面を参照して本発明の好ましい実施形態における強制通風構造を有する履物を詳しく説明する。
【００２２】
図１は本発明の好ましい実施形態における強制通風構造を有する履物の見掛け構成を示し、図２は本発明の好ましい実施形態における強制通風構造を有する履物の内部構成を示す部分切開状態図で、図３は本発明の好ましい実施形態における強制通風構造を有する履物において、第１ポンピング部材の全体構成を示す詳細図で、図４は前記図３に示された第１ポンピング部材において、伸縮カバーの高さ調節状態を示し、図５は本発明の好ましい実施形態における強制通風構造を有する履物による第１ポンピング部材の強制通気作用とアーチの支持及び加圧状態を示す作用状態図である。
【００２３】
本発明の好ましい実施形態における強制通風構造を有する履物１は、図１乃至図５で示すように、通常の履物のように、底板１０の上部に入口２１が設けられた外皮２０を形成して、底板１０の上部と外部との間に収容空間Ｓが形成された構造で、着用者は入口２１から収容空間Ｓに足Ｆを進入させて履き、この時足Ｆの底面Ｂは底板１０の上部と密着され、また足の甲は外皮２０の内壁に密着して固定される。
【００２４】
本実施形態では、このような履物１の底板１０に、着用者の足Ｆの加圧によって新鮮な外部空気を吸気し、この吸気された外部空気を収容空間に送風する第１ポンピング部材３０を配置して、履物１の着用の中で発生される汗と臭いなどが第１ポンピング部材３０によって流入される新鮮な外部空気によって迅速に除去される。
【００２５】
本実施形態によれば、前記第１ポンピング部材３０は、底板１０の上部に設置されて、外部と連通された吸気管３１ｂと、収容空間Ｓと連通する排気管３１ｃとがそれぞれ設けられた上部開放型の本体３１と；前記上部開放型本体３１の上部を閉鎖するもので、自体の弾性によって上向きに突出される伸縮カバー３２と；を含んで構成される。
【００２６】
本実施形態では、本体３１の上部辺縁に環状溝３１ａを形成し、この環状溝３１ａに伸縮カバー３２の辺縁に形成された環状突起３２ａを挿入して、伸縮カバー３２が本体３１に気密状態的に固定される。
【００２７】
また、前記吸気管３１ｂ及び／または排気管３１ｃには一方向チェックバルブＣＶが設けられ、一方向チェックバルブＣＶによって吸気管３１ｂを通じて本体３１に吸気された空気が排気管３１ｃを通じて吐出される。
【００２８】
好ましい実施形態を示す図面によれば、前記伸縮カバー３２は本体の辺縁に複数の折り皺３２ｂが形成された蛇腹形態に構成され、折り皺３２ｂによって収縮及び展開を含む伸縮が可能であり、また外部空気の吸気経路である吸気管３１ｂの端部は地面と触れる底板１０の位相より高く配置されて、歩行による第１ポンピング部材３０の吸気過程において、排気管３１ｃによって外部の水分を含む異物が第１ポンピング部材３１及び収容空間Ｓの内部に流入される現象を防止している。
【００２９】
また、前記第１ポンピング部材３０を構成する本体３１の内部には支持体３３が形成され、この支持体３３と伸縮カバー３２との間にはスプリング３４が設置されて、前記伸縮カバー３２はスプリング３４による弾発力によってより向上された伸縮性を有する。図面における未説明符号３６は、伸縮カバー３２の底面とスプリング３４の上端を支持するワッシャーである。
【００３０】
また、本実施形態では前記底板１０の上部に線形の循環溝１１を凹設し、この循環溝１１には第１ポンピング部材３０の排気管３１ｃを連通するように配置して、前記第１ポンピング部材３０によって吐出された空気が循環溝１１に沿って移動する過程で着用者の足の汗と熱気を迅速に取り除くようにしている。
【００３１】
また、前記循環溝１１には一方向チェックバルブＣＶが設けられた排気管３１ｃが外部と連通されるように設置されて、前記循環溝１１を通じた空気が排気管１２によって外部に排出されるように構成している。
【００３２】
前記吸気管３１ａ、排気管１２または排気管３１ｂに設置される一方向チェックバルブＣＶは空気の流れを順方向のみに具現し、本実施形態では前記吸気管と排気管を断面が半月状の管体に構成し、この管体に空気の流れ方向によって管体を開放または閉鎖する半月状の弁膜からなる一方向チェックバルブＣＶを設置している。このように半月状の管体は円形に比べて体積が小さくて、履物の見掛けに突出されず、安定的に収容されることができる。
【００３３】
従って、本実施形態による履物１は、着用者が入口２１から収容空間Ｓに足Ｆを進入させて着用した後に歩くと、前記底板１０に上向きに突出された第１ポンピング部材３０の伸縮カバー３２は着用者の足裏によって繰り返して加圧され、このような第１ポンピング部材３０の繰り返し加圧によって第１ポンピング部材３０は吸気管３１ｂによって、新鮮な外部空気を流入して排気管３１ｃ及び循環溝１１によって足Ｆが収容された収容空間Ｓに外部空気を吐出させる。この時、吐出される空気によって着用者の足Ｆの表面に付いた汗や臭いなどが迅速に除去される。
【００３４】
一方、本実施形態では、このように構成された第１ポンピング部材３０を、図２に示すように、着用者の足Ｆで支持または加圧が要求されるアーチＡの下部に上向きに突出されるように配設して、足ＦのアーチＡによる第１ポンピング部材３０の加圧によってアーチＡの安定された支持及び加圧が行われて、歩行過程において足の疲労感を抑制し、及びアーチの形状を校正し、また第１ポンピング部材３０のポンピング作用によって外部空気が迅速に内部空間Ｓに流入されて着用者の足Ｆの表面に付いた汗や臭いなどが迅速に除去される。
【００３５】
即ち、第１ポンピング部材３０は、図５に示すように、着用者の足ＦのアーチＡによる繰り返し加圧によって外部空気を収容空間Ｓに流入させ、このような過程にアーチＡは第１ポンピング部材３０の加圧による反力によって支持及び加圧されて、足の疲労感が抑制され、及びアーチの形状が校正される。
【００３６】
本実施形態では、このような履物１を具現するにおいて、着用者が前記アーチの支持及び加圧機能を有する第１ポンピング部材３０の突出高さを自由に設定して、自分の体形に適する高さに第１ポンピング部材３０を突出させて、楽な着用感とアーチＡの安定された支持及び加圧が可能になる。
【００３７】
このために、本実施形態では、前記スプリング３４の下端を支持する支持体３３は本体の底面に配置され、内径に締結溝が形成された締結管４０に挿入され、支持体の外面にはねじ山が形成され、締結管の締結溝の内面にもこれに対応するねじ締結部３９が形成されて、支持体３３と締結管４０との締結程度によって支持体が上下に昇降する。これによって、スプリングの強度が調節される。
【００３８】
また、本実施形態による履物１は、図４ａのように、本体３１の締結管４０のねじ締結部３９にねじ締結によって固定された支持体３３を正方向に回転させると上昇されるので、スプリング３４及びこれによって支持された伸縮カバー３２はより高く突出され、また図４ｂに示すように、前記支持体３３を逆方向に回転させれると下降されて、スプリング３４及びこれによって支持された伸縮カバー３２は低く突出される。
【００３９】
また、本実施形態では、前記昇降管３３Ｂの昇降に要求される回転力を簡単に提供することにできるように、前記昇降管３３Ｂに伸縮カバー３２を貫通する高さ調節具３５を設置する。本実施形態で高さ調節具は角ボルトの形状を有する。
【００４０】
伸縮カバー３２を本体３１で分離させて、支持体３３を外部に露出させずにその角頭ボルト形状の高さ調節具３５の回転によって支持体３３が正方向または逆方向に回転して昇降するように構成している。
【００４１】
また、組立性の向上のために前記支持体３３の内径には角溝３３ａを形成し、この角溝３３ａには伸縮カバー３２を貫通した角頭ボルト形状の高さ調節具３５を結合させて、着用者は高さ調節具３５を正逆方向に回転させて伸縮カバー３２を弾力支持するスプリング３４の圧縮量を調節することによって、伸縮カバー３２の突出高さ及びアーチＡの加圧力の調節が可能になるように構成される。
【００４２】
従って、本実施形態による履物１は、支持体３３の高さの調節によって足裏のアーチＡを支持及び加圧する伸縮カバー３２の突出高さを自由に設定することができて、着用者は自分の体形に適するように伸縮カバー３２の高さを設定して安定した着用性を有するように構成することができる。
【００４３】
図６は本発明の好ましい他の実施形態における強制通風構造を有する履物において、第２ポンピング部材の構成を示す分離斜視図である。
【００４４】
図６の実施形態によれば、本実施形態のポンピング部材は履物のアーチ部（足の内側アーチ部に対応する部分）に設置されるもので、ウォーム３８とこれに対応するウォームホイール３７が設置されて、外部でウォーム３８を回転させて、支持体３３を昇降させるようにする構成を有する。
【００４５】
即ち、スプリング３４を支持する支持体３３の下部にはウォームホイール３７が形成され、前記ウォームホイールと噛み合うように結合されるウォーム３８が形成される。ウォーム３８は本体の外部で回転させることができるようにヘッド部は図示したように外部に露出されている。ウォームホイール３７は内部に支持体が挿入される挿入溝が形成され、挿入溝の内部には前記支持体の外面のねじ山とねじ結合される締結ねじ部３９が形成され、ウォームホイールの外面には前記ウォームと締結される垂直方向のねじ山が形成される。
【００４６】
このような構成によって、使用者（本発明の履物着用者）がウォームを一方向に回転させると、ウォームホイール３７が回転され、これによってウォームホイールの内部挿入溝に挿入された支持体３３が締結ねじ部３９によって回転しながら上昇または下降する。
【００４７】
一方、示したように、本実施形態では、高さ調節具３５は角頭ボルト形状でなく、下部に凹溝３５ａが形成されたボルト形状を有し、前記凹溝３５ａの下部に締結具４５の突起４５ｂが嵌合されて固定されるように構成される。高さ調節具３５の内部に挿入結合されるスプリング調節ボルト４４は下部側で締結具４５の内部ねじ山４５ａとねじ締結される。スプリング調節ボルト４４の下部にはストッパ４６が締結されて、ストッパ４６が締結具４５の下部に係止されることによって、スプリング調節ボルトが脱れないように固定する役割を果たす。
【００４８】
締結具４５は支持体３３の下部から内部に挿入されて上部へ離脱されないように挿入される。支持体３３の上部面には締結具４５が支持体３３を離脱しないように締結具係止突起（図示しない）が形成され、図示したように締結具が回転の時に締結具の突起が係止されるように支持体の内面に係止面３３ｄが形成される。
【００４９】
高さ調節具３５を一側方向に回転させると、前記高さ調節具３５の凹溝３５ａに突起４５ｂが挿入された締結具４５が回転する。これによって、締結具４５の突起４５ｂが支持体３３の係止面３３ｄを押して支持体３３が回転する。支持体３３が回転することによってウォームホイール３７の内部の締結ねじ部３９に沿って支持体３３は上昇または下降する。
【００５０】
支持体３３が回転によって所定高さに到達した後、ウォームホイール３７の上部側に離脱しないように、ウォームホイール３７の締結ねじ部３９の上部には係止突起、ストッパまたはヤマストッパ４２が形成される。これによって、支持体３３は設定された以上の高さを逸脱しない。ここで、「ヤマストッパ」とは雌ヤマ（雌ねじ）の上端に谷を形成しないで雄ヤマ（雄ねじ）の上部端は直角に切断して雄ヤマ（雄ねじ）が上昇すると雌ヤマ（雌ねじ）とぶつかってこれ以上支持体が上昇しないようにするストッパを意味する。
【００５１】
スプリング調節ボルト４４を回転させると、高さ調節具３５は動かずスプリング調節ボルト４４のみ回転する。スプリング調節ボルト４４が右側に回転することによって、下部に内部ねじ山４５ｂと締結された締結具４５は上昇力を受ける。この時、締結具４５は支持体３３の上部を逸脱しないように支持体に係止されているので、スプリング調節ボルト４４が下降する。これによってスプリング調節ボルト４４は伸縮カバー３２を加圧することによって、伸縮カバー３２の下部のスプリング３４の強度が強まる。スプリング調節ボルト４４を反対に回転すると、同じ理由でスプリング強度は弱まる。これによって、スプリング調節ボルトの回転でスプリング強度を調節することができる。
【００５２】
吸気管によって履物の外部からポンピング部材内に流入される空気はポンピング部材の入口端に設置される吸入チェックバルブによって開放または閉鎖される。即ち、空気の流れ方向によって開放または閉鎖される一方向のチェックバルブである吸入チェックバルブがポンピング部材の吸入先端に設置される。排気管はポンピング部材で履物の内部方へ排気、循環（循環溝に沿って循環）、及び履物の外部に排出させる排気管で、ポンピング部材で履物内部側に排気される部分及び循環後に履物の外部に排出される部分に空気の流れ方向によって開放または閉鎖する半月状の弁膜からなる一方向チェックバルブＣＶが設置される。
【００５３】
空気を履物の外部に排出させる排気管は前記吸気管に連通されて、空気を履物の外部に排出させるので、吸気管は外部空気の吸入及び排出の役割を同時に行う。即ち、ポンピング部材の加圧及び弛緩によって同じ管である吸気管による空気の吸入及び排気（排出）が行われる。
【００５４】
吸気管及び排気管は半月状の管体に形成された鉄管またはＰＶＣ管に形成され、半月状の管体はその体積が小さくて埋立しやすいという長所がある。これは以下の図７乃至図１０の実施形態でも同一に適用されることができる。
【００５５】
図７は本発明の好ましい他の実施形態における強制通風構造を有する履物において、第３ポンピング部材の構成を示す分離斜視図である。
【００５６】
図７によれば、図７に示した第３ポンピング部材は図６と異なってウォームホイール３７とウォーム３８が設置されない実施形態である。図６でウォームホイール３７の内部に形成された締結ねじ部３９が本体の下部底面に形成される。
【００５７】
図６の実施形態に示すように、高さ調節具３５の回転によって支持体３３が回転しながら上昇または下降し、スプリング調節ナット４４の回転によってスプリングが加圧または弛緩される。具体的な作動原理は図７と同じであるので説明を省略する。
【００５８】
支持体３３が回転によって所定高さに到達した後、締結ねじ部３９を離脱しないように、支持体３３の外面下部に係止突起、ストッパまたはヤマストッパ４２が形成された。ここで、「ヤマストッパ」とは雌ヤマ（雌ねじ）の上端に谷を形成しないで雄ヤマ（雄ねじ）の上部端は直角に切断して雄ヤマ（雄ねじ）が上昇すると雌ヤマ（雌ねじ）とぶつかってこれ以上支持体が上昇しないようにするストッパを意味する。
【００５９】
図８は本発明の好ましい他の実施形態における強制通風構造を有する履物において、第４ポンピング部材の構成を示す分離斜視図である。
【００６０】
図８によれば、図８の実施形態はスプリングは加圧されないで、高さ調節具３５の回転によって伸縮カバー３２の下部のワッシャー、ワッシャー下部のスプリング、スプリング下部の支持体、高さ調節具がねじ締結される締結具が全て回転する方式で、高さ調節具３５の回転によって支持体３３が本体の下部に形成されたねじ締結部３９によって支持体の高さが調節される方式である。
【００６１】
伸縮カバー３２の下部に形成されたワッシャーは内部中央に係止溝３６ａが形成され、ここに高さ調節具３５が挿入されて係止されるように形成される。高さ調節具が回転することによってワッシャーも回転されるように構成される。
【００６２】
スプリング３４には上下端部が内側に曲がった折曲部３４ａが形成され、上部の折曲部３４ａは前記ワッシャー３６の下端に締結されて固定され、下部の折曲部は支持体３３上のスプリング係止溝３３ｅに締結固定される。また、高さ調節具３３の下部にはナット状の締結具３５が締結される。締結具３５は図７の実施形態とは異なって支持体の回転に影響を与えない。
【００６３】
高さ調節具３５が回転することによって、ワッシャー３６も回転し、これによって、ワッシャーに上部の折曲部が固定されたスプリングが回転され、スプリングが回転することによって、スプリングの下部の折曲部に締結固定されたスプリング係止溝３３ｅが形成された支持体が回転する。
【００６４】
このように、図８の実施形態では高さ調節具３５の回転によって、ワッシャー、スプリング、ボルト、及び支持体が一緒に回転することによって支持体の高さが調節される。
【００６５】
一方、支持体３３が回転によって所定高さに到達した後、支持体３３が締結ねじ部３９を離脱しないように、締結ねじ部３９の上部には係止突起、ストッパまたはヤマストッパ４２が形成される。ここで、「ヤマストッパ」とは雌ヤマ（雌ねじ）の上端に谷を形成しないで雄ヤマ（雄ねじ）の上部端は直角に切断して雄ヤマ（雄ねじ）が上昇すると雌ヤマ（雌ねじ）とぶつかってこれ以上支持体が上昇しないようにするストッパを意味する。
【００６６】
図９は本発明の好ましい他の実施形態における強制通風構造を有する履物において、第５ポンピング部材の構成を示す分離斜視図で、履物の踵に設置される状態を示す。
【００６７】
図９の実施形態は履物の踵に設置される方式で、支持体３３の外面にはねじ山が形成され、これにねじ締結されるねじ締結部３９は本体下部の内部、即ち締結管４０の内部に形成される。
【００６８】
高さ調節具３５は内部にねじ山が形成され、外面に係止面３５ｂが形成される。支持体の内部に挿入されて、係止突起３３に係止されるように構成される。即ち、高さ調節具３５の外面の係止面３５ｂと支持体３３内部の係止突起３３ｄが当接して係止される。高さ調節具３５の内部のねじ山とボルト状の締結具４５とがねじ結合され、前記締結具４５は前記支持体３３の下部から内部に挿入されて上部に離脱されないように締結される。支持体３３の上部面には締結具４５が支持体３３を離脱しないように締結具係止突起（図示しない）が形成される。
【００６９】
前記高さ調節具３５をドライバーなどの器具を利用して回転させると、高さ調節具３５の係止面３５ｂが支持体３３内部の係止突起３３ｄに係止されて、支持体がともに回転し、これによって支持体３３はねじ締結部３９によって高さが調節される。
【００７０】
一方、支持体３３が回転によって所定高さに到達した後、上部側に離脱しないように、締結管４０の締結ねじ部３９の上部にはストッパ乃至係止突起が形成される。これによって、支持体３３は設定された以上の高さを逸脱しない。
【００７１】
図１０は本発明の好ましい他の実施形態における強制通風構造を有する履物において、履物のアーチ部と踵に同時に二つのポンピング部材が設置された状態を示す分離斜視図である。
【００７２】
図１０によれば、履物のアーチ部分に対向する部分のポンピング部材は図６の実施形態のものが使われ、踵に対応する部分のポンピング部材は図９の実施形態が図示される。しかし、必ずこれに限定されるのではなく、履物のアーチ部分に対向する部分のポンピング部材が他の実施形態のポンピング部材乃至図示しない他のポンピング部材を使うことができることは勿論である。
【００７３】
本発明のポンピング部材の伸縮カバー３２は円形、または半円形など多様な形状を有することができ、その形状及び模様は当業者の必要によって選択されることができる。
【００７４】
また、本発明で使われたスプリングの大きさは履物乃至ポンピング部材の大きさによって当業者が必要によって容易に小型、中型、大型を選択することができる。
【産業上の利用可能性】
【００７５】
本発明は強制通風構造を有する履物に利用可能なもので、さらに詳しくは、着用者の足のアーチが位置される底側の内側一地点に足のアーチを弾力的に支持及び加圧する機能と、加圧によって外部空気を履物の内部に強制的に流入させて強制通風機能を図るポンピング部材を配設して、快適な足の衛生状態を確保することができ、またアーチを繰り返して加圧することによって足の疲労感を抑止し、及びアーチの形状を校正するように構成された強制通風構造を有する履物に利用可能なものである。
【図１】
2012526603.tif 000003
【図２】
2012526603.tif 000004
【図３】
2012526603.tif 000005
【図４】
2012526603.tif 000006
【図５】
2012526603.tif 000007
【図６】
2012526603.tif 000008
【図７】
2012526603.tif 000009
【図８】
2012526603.tif 000010
【図９】
2012526603.tif 000011
【図１０】
2012526603.tif 000012
【国際調査報告】
2012526603.tif 000013
2012526603.tif 000014
2012526603.tif 000015
2012526603.tif 000016